(57)【特許請求の範囲】
【請求項１】
磁気テープカセットを収納する収納部と、前記収納部を囲繞する外壁を有する蓋部と、前記収納部及び前記蓋部を開閉可能に連結するヒンジ部とを一体形成してなる磁気テープカセット用収納ケースにおいて、前記磁気テープカセットを収納した状態で前記蓋部を閉じた場合に、当該蓋部と当該磁気テープカセットとの間にシート束を収納する隙間を画成可能なように、前記ヒンジ部は寸法決めされ、対向面を有する少なくとも１つのリブが前記隙間の範囲内かつ前記ヒンジ部上に備えられ、前記磁気テープカセットのがたつきを抑止することが可能なように前記リブが前記磁気テープカセットを押圧し、前記蓋部を開いたときに前記リブの開口部が上方を向くことを特徴とする収納ケース。
【発明の詳細な説明】
【０００１】
【発明の属する技術分野】
本発明は磁気テープカセットを保護するための収納ケースに関する。
【０００２】
【従来の技術】
例えば、放送局などで用いる放送機材のうち、最近の録画取材専用テレビカメラは、携帯性の良好な小型ディジタルビデオカメラが使用されるようになってきている。このカメラは小型であっても、ディジタル信号処理により高画質を得られるため、放送局用カメラマン、録画取材専門家などの業務用機材として多用されている。
【０００３】
この携帯用ディジタルビデオカメラに装填して用いるディジタルビデオカセット（ＤＶＣ）は、収録時間の異なる３種のサイズがあり、それぞれ専用のカセット収納ケースに入れられて市販されている。
【０００４】
【発明が解決しようとする課題】
ところで、前記ディジタルビデオカセット等の磁気テープカセットは、取材現場の録画撮りや、後に放送局などに持ち帰って編集再録用の資料に用いるなど、業務上重要な録画内容を収録しておくことが多い。そのため、録画内容に付属する記録情報も重要であり、録画した内容や、現場での打ち合わせ内容を磁気テープカセットとともに同一の収納ケース内に収納して携帯することが望ましく、このように整理しておけば、当該磁気テープカセットの録画内容、その他関連する現場情報などを、後の打ち合わせ時などに容易に録画内容と突き合わせて確認できる。
【０００５】
なお、一般にこの種の録画付属情報は、従来では、磁気テープカセット及び収納ケースの表面に貼られるラベルによって表示されるほか、収納ケースの隙間に内容を記した紙片、小冊子などのシート束を挟み込んで収納する場合が多い。しかし、収納ケースの収納厚みは磁気テープカセットの厚み分しかないので、磁気テープカセットとともに収納できるシートの量は少ない。
【０００６】
そこで、例えば、図９に示すように、収納部９１と蓋部９２との間の、シート束Ｓを収納するための隙間ｄを大きくすることが考えられる。収納状態における磁気テープカセット１００のがたつきを防止するために、蓋部９２の内側側面には磁気テープカセット１００の周縁を本体側に向けて押圧する複数のリブ９６が突設されているが、このリブ９６の高さを高くして、隙間ｄを大きくすることができる。
【０００７】
しかしながら、この構造では、隙間ｄに収納されるシート束Ｓに対する固定は格別に行われておらず、重ね枚数が多いと、蓋部９２を開けたときに、シート束Ｓが飛び出したり、収納時に位置が定まらず、図示されるように紙端が折れ曲ったり、はみ出て完全な閉蓋状態にロックできないなど、使い勝手が悪い。
【０００８】
本発明の目的は、上記課題を解決することにあり、簡単な構成を付加することで、多量のシートを収納して保持できる磁気テープカセット用の収納ケースを提供することにある。
【０００９】
上記の目的は、磁気テープカセットを収納する収納部と、前記収納部を囲繞する外壁を有する蓋部と、前記収納部及び前記蓋部を開閉可能に連結するヒンジ部とを一体形成してなる磁気テープカセット用収納ケースにおいて、前記磁気テープカセットを収納した状態で前記蓋部を閉じた場合に、当該蓋部と当該磁気テープカセットとの間にシート束を収納する隙間を画成可能なように、前記ヒンジ部は寸法決めされ、対向面を有する少なくとも１つのリブが前記隙間の範囲内かつ前記ヒンジ部上に備えられ、前記磁気テープカセットのがたつきを抑止することが可能なように前記リブが前記磁気テープカセットを押圧し、前記蓋部を開いたときに前記リブの開口部が上方を向くことを特徴とする収納ケースによって達成される。
【００１０】
本願発明のリブは、対向面を有するリブが挟持手段として機能する。すなわち、本願発明の収納ケースは、当該収納ケース内に情報記録用紙等のシート束を収納したとき、前記リブの対向面によって当該シート束を保持することができる。したがって、前記収納ケース内の前記シート束のずれ、飛び出し等を防ぐことができる。
【００１１】
また、本願の磁気テープカセット用収納ケースは、前記リブが、磁気テープカセットを前記収納ケース内に収納した場合において、磁気テープカセットのがたつきを抑止することができる。
【００１２】
【発明の実施の形態】
以下において、添付図を参照しながら、本願発明の好適な実施形態を説明する。
【００１３】
図１には、本願発明の第１実施形態である収納ケース１０の開放状態が示される。この収納ケース１０は主に、磁気テープカセットを収納する収納部１１と、この収納部１１を囲繞する外壁１３を有する蓋部１２と、収納部１１及び蓋部１２を開閉可能に連結するヒンジ部１４とを一体形成してなる。そして、磁気テープカセットが収納部１１に収納されながら蓋部１２を閉じた状態にしたときに、蓋部１２と磁気テープカセットとの間にシート束を収納する隙間ｄを画成可能なようにヒンジ部１４が寸法決めされている。さらに、シート束を対向面によって挟持することが可能な２つのコの字状のリブ１５ａ，１５ｂがそれぞれ、隙間ｄの範囲内かつヒンジ部１４の端部寄りに備えられている。なお、カセットの裏面開口部分を係止するＶ字リブ１７及びカセットのリールハブを係止するリール係止リブ１８ａ，１８ｂはなくてもよいが、磁気テープカセットの高さ方向のがたつき防止や横方向のずれ防止という観点から考えると備えることが望ましい。
【００１４】
次に、本実施形態の作用について説明する。
ユーザーがシート束を挟み込む際、ヒンジ部１４にシート束を挟持する部分すなわちリブ１５ａ，１５ｂを形成するので、当該シート束を挟み込むための操作が非常に簡単になる。すなわち、収納ケース１０を開いたときには、リブ１５ａ，１５ｂの開口部が上方を向くことになり、挟み込み作業が至って楽である。
【００１５】
ここで図８を参照する。図８には、収納ケース１０内に磁気テープカセット１００を収納し、かつ蓋部１２を閉じた状態が示される。ただし図８は図１の収納ケース１０におけるＡ−Ａ断面である。図８から明らかなように、リブ１５ａ，１５ｂがシート束Ｓを挟持しており、隙間ｄに収納されるシート束Ｓを保持することを実現している。その結果、蓋部１２を開けたときに、シート束Ｓが飛び出したり、収納時に位置が定まらず、シート端が折れ曲ったり、はみ出して完全な閉蓋状態にロックできないなどということが回避される。
【００１６】
また、この収納ケース１０においては、リブ１５ａ、１５ｂが磁気テープカセット１００のがたつきを抑止する機能も有している。このがたつき抑止機能は、例えば図９のリブ９６のような他のリブを別途設けることによっても同様の作用を達成可能であるが、当該機能をリブ１５ａ、１５ｂが有していてもよい。以下において、第２〜第７実施形態を説明するが、各実施形態のそれぞれのリブも同様に、このがたつき抑止機能を有してもよい。
【００１７】
以上のような構成からなる収納ケースの成形方法は、次のような点で有利である。収納ケース１０は通常、成形金型を用いた射出成形法によって、開いた状態で成形されるため、本願発明のようにヒンジ部１４に対向面すなわちリブ１５ａ，１５ｂを形成するとすればアンダーカットを避けることができ、よって金型構造も簡単になる。
【００１８】
図２には、本願発明の第２実施形態である収納ケース２０が示される。この収納ケース２０は主に、磁気テープカセットを収納する収納部２１と、この収納部２１を囲繞する外壁２３を有する蓋部２２と、収納部２１および蓋部２２を開閉可能に連結するヒンジ部２４とを一体形成してなる。そして、磁気テープカセットが収納部２１に収納されながら蓋部２２を閉じた状態にしたときに、蓋部２２と磁気テープカセットとの間にシート束を収納する隙間を画成可能なようにヒンジ部２４が寸法決めされている。さらに、シート束を挟持することが可能な対向面を有する２つのリブ２５ａ，２５ｂがそれぞれ、前記隙間の範囲内かつヒンジ部２４の端部寄りに備えられている。
【００１９】
リブ２５ａ，２５ｂは、前述した収納ケース１０のリブ１５ａ，１５ｂのような型、すなわちヒンジ部１４の長手方向外側に位置する部分１６ａ，１６ｂが閉止された型（図１参照）とは異なり、開放された型である。このような構成にすることで、シート束を挟入する際に、当該シート束をヒンジ部に対して垂直な方向からだけでなく、平行な方向からも挟入可能である。更に、この実施形態は第１実施形態とほぼ同様の作用効果をも有する。
【００２０】
図３には、本願発明の第３実施形態である収納ケース３０が示される。この収納ケース３０は主に、磁気テープカセットを収納する収納部３１と、この収納部３１を囲繞する外壁３３を有する蓋部３２と、収納部３１および蓋部３２を開閉可能に連結するヒンジ部３４とを一体形成してなる。そして、磁気テープカセットが収納部３１に収納されながら蓋部３２を閉じた状態にしたときに、蓋部３２と磁気テープカセットとの間にシート束を収納する隙間を画成可能なようにヒンジ部３４が寸法決めされている。さらに、シート束を挟持することが可能な対向面を有する２つのリブ３５ａ，３５ｂがそれぞれ、前記隙間の範囲内かつヒンジ部３４の端部寄りに備えられている。
【００２１】
リブ３５ａ，３５ｂは、前述した収納ケース２０のリブ２５ａ，２５ｂと同様に、長手方向外側に位置する部分が開放された型である。また、当該リブは、その中央の隙間が両方の開放部の隙間に比べて狭くなっている。収納ケース３０は、リブ３５ａ，３５ｂが収納ケース２０のリブ２５ａ，２５ｂと同様の作用を有する他、例えば当該リブの中央部分の弾性力を利用して、所定量をたわませることでシート束の収納方法に幅を持たせることができる。更に、この実施形態は第１実施形態とほぼ同様の作用効果をも有する。
【００２２】
図４には、本願発明の第４実施形態である収納ケース４０が示される。この収納ケース４０は主に、磁気テープカセットを収納する収納部４１と、この収納部４１を囲繞する外壁４３を有する蓋部４２と、収納部４１および蓋部４２を開閉可能に連結するヒンジ部４４とを一体形成してなる。そして、磁気テープカセットが収納部４１に収納されながら蓋部４２を閉じた状態にしたときに、蓋部４２と磁気テープカセットとの間にシート束を収納する隙間を画成可能なようにヒンジ部４４が寸法決めされている。さらに、シート束を対向面によって挟持することが可能な１つのリブ４５が、前記隙間の範囲内かつヒンジ部４４の中央に備えられている。このリブ４５は、ヒンジ部４４の中央に１つのみ有するため、製造コスト的に有利であるとともに、シート束をユーザーが比較的容易に狭入できるという利点がある。更に、この実施形態は第１実施形態とほぼ同様の作用効果をも有する。なお、本第４実施形態は、第２実施形態のような形状であっても良いことは言うまでもない。
【００２３】
図５には、本願発明の第５実施形態である収納ケース５０が示される。この収納ケース５０は主に、磁気テープカセットを収納する収納部５１と、この収納部５１を囲繞する外壁５３を有する蓋部５２と、収納部５１および蓋部５２を開閉可能に連結するヒンジ部５４とを一体形成してなる。そして、磁気テープカセットが収納部５１に収納されながら蓋部５２を閉じた状態にしたときに、蓋部５２と磁気テープカセットとの間にシート束を収納する隙間を画成可能なようにヒンジ部５４が寸法決めされている。さらに、シート束を対向面によって挟持することが可能なロの字状の１つのリブ５５が、前記隙間の範囲内かつヒンジ部５４の長手方向ほぼ全域にわたって備えられている。リブ５５は、シート束を挟持可能な面積がより広いため、保持力が比較的大きい。更に、この実施形態は第１実施形態とほぼ同様の作用効果をも有する。
【００２４】
図６には、本願発明の第６実施形態である収納ケース６０が示される。この収納ケース６０は主に、磁気テープカセットを収納する収納部６１と、この収納部６１を囲繞する外壁６３を有する蓋部６２と、収納部６１および蓋部６２を開閉可能に連結するヒンジ部６４とを一体形成してなる。そして、磁気テープカセットが収納部６１に収納されながら蓋部６２を閉じた状態にしたときに、蓋部６２と磁気テープカセットとの間にシート束を収納する隙間を画成可能なようにヒンジ部６４が寸法決めされている。さらに、シート束を平行な対向面によって挟持することが可能な２つの板状体からなる１つのリブ６５が、前記隙間の範囲内かつヒンジ部６４の長手方向ほぼ全域にわたって備えられている。リブ６５は、収納ケース２０のリブ２５ａ，２５ｂおよび収納ケース５０のリブ５５の両方とほぼ同様の作用を有する。更に、この実施形態は第１実施形態とほぼ同様の作用効果をも有する。
【００２５】
図７には、本願発明の第７実施形態である収納ケース７０が示される。この収納ケース７０は主に、磁気テープカセットを収納する収納部７１と、この収納部７１を囲繞する外壁７３を有する蓋部７２と、収納部７１および蓋部７２を開閉可能に連結するヒンジ部７４とを一体形成してなる。そして、磁気テープカセットが収納部７１に収納されながら蓋部７２を閉じた状態にしたときに、蓋部７２と磁気テープカセットとの間にシート束を収納する隙間を画成可能なようにヒンジ部７４が寸法決めされている。さらに、シート束を対向面によって挟持することが可能なコの字状の２つのリブ７５ａ，７５ｂがそれぞれ、前記隙間の範囲内かつヒンジ部７４の端部寄りに備えられている。リブ７５ａ，７５ｂは、第１実施形態のリブ１５ａ，１５ｂとほぼ同様の作用効果を有する。
【００２６】
第７実施形態と第１〜第６実施形態とを比較して明らかなことは、磁気テープカセットを収納した場合に当該カセットの収納方法（収納する向き）が異なるということである。しかしながら、本願発明の実施にはどちらの収納方法を採用しても支障はない。また、リブの種類も上述した第２〜第６実施形態のものを利用してもよい。
【００２７】
以上、本願発明の好適な実施形態を説明したが、本願発明はこれらの実施形態に限定されることなく適宜な変更、改良等が可能である。例えば、ＤＶＣ以外の磁気テープカセット用の収納ケースにも適用可能である。また、シート束を保持するリブの形状も上述した実施形態に限定されることなく、利用態様等に応じて変更可能であることは言うまでもない。
【００２８】
【発明の効果】
上述の通り、本願発明による磁気テープカセット用の収納ケースは、磁気テープカセットを収納した状態で蓋部を閉じた場合に、当該蓋部と当該磁気テープカセットとの間にシート束を収納する隙間を画成可能なように、前記ヒンジ部が寸法めされ、前記隙間の範囲内かつ前記ヒンジ部上に、対向面を有するリブが少なくとも１つ備えられているので、当該リブによって多量のシートを収納して保持でき、シート束のずれ、飛び出し等を防ぐことができる。
【図面の簡単な説明】
【図１】本願発明の第１実施形態である収納ケースの斜視図である。
【図２】本願発明の第２実施形態である収納ケースの斜視図である。
【図３】本願発明の第３実施形態である収納ケースの斜視図である。
【図４】本願発明の第４実施形態である収納ケースの斜視図である。
【図５】本願発明の第５実施形態である収納ケースの斜視図である。
【図６】本願発明の第６実施形態である収納ケースの斜視図である。
【図７】本願発明の第７実施形態である収納ケースの斜視図である。
【図８】本願発明の第１実施形態のＡ−Ａ断面図である。
【図９】従来型の収納ケースの断面図である。
【符号の説明】
１０，２０，３０，４０，５０，６０，７０  収納ケース
１１，２１，３１，４１，５１，６１，７１  収納部
１２，２２，３２，４２，５２，６２，７２  蓋部
１４，２４，３４，４４，５４，６４，７４  ヒンジ部
１５ａ，１５ｂ  リブ
２５ａ，２５ｂ  リブ
３５ａ，３５ｂ  リブ
４５  リブ
５５  リブ
６５  リブ
７５ａ，７５ｂ  リブ
Ｓ  シート束
１００  磁気テープカセット
【図１】
0003787750.tif 000002
【図２】
0003787750.tif 000003
【図３】
0003787750.tif 000004
【図４】
0003787750.tif 000005
【図５】
0003787750.tif 000006
【図６】
0003787750.tif 000007
【図７】
0003787750.tif 000008
【図８】
0003787750.tif 000009
【図９】
0003787750.tif 000010